(57)【特許請求の範囲】
【請求項１】
被包装物が充填された袋を収容したリテーナを所定の搬送経路に沿って間欠的に順次搬送する供給コンベアと、円形の移動経路に沿って等間隔に配置されかつ前記移動経路に沿って移動し前記移動経路上で互いの間隔を広げ又は狭める複数組の左右のグリッパー及び対応するリテーナ支持台と、前記移動経路上の停止位置であるシール位置近傍に配置されたシール用の一対の熱板を備え、前記移動経路上の停止位置の１つである供給位置において前記袋を収容したリテーナの供給を受け、前記リテーナをリテーナ支持台で支持し、かつ前記袋の両側縁部を左右のグリッパーで挟持し、左右のグリッパーとリテーナ支持台の間欠移動に伴って前記袋とリテーナを間欠移動させ、その間欠移動の過程で左右のグリッパーの間隔を広げて前記袋の袋口を緊張させ、前記シール位置において前記袋の袋口を前記熱板で挟んでシールするシール装置と、前記搬送経路上に設定された停止位置の１つである移送開始位置において前記リテーナを支持し、前記移送開始位置から前記供給位置に向け所定の移送経路に沿って移送し、前記供給位置において前記リテーナ支持台上に載置し、その後前記移送開始位置に復帰移動するリテーナ移送部材を備える移送装置と、前記移送経路上で前記リテーナに収容された袋の開口した袋口近傍を両面から挟んで前記袋口近傍を偏平状に保持する整形部材を備える整形装置からなり、前記整形部材は、前記袋の袋口近傍を挟んだまま、前記リテーナが前記移送経路上を移送され前記供給位置に達するまで前記リテーナ移送部材と共に移動し、前記シール装置の左右のグリッパーが前記供給位置において前記袋の両側縁部を挟持した後開いて前記袋を解放し、続いて元の位置に復帰移動することを特徴とするリテーナに収容された袋の袋口のシールシステム。
【請求項２】
前記整形部材は、前記袋の幅方向両側に一対対向配置されていることを特徴とする請求項１に記載されたリテーナに収容された袋の袋口のシールシステム。
【請求項３】
前記リテーナ移送部材は、前記移送開始位置で略垂直に上昇した後前記シール装置に向けて移動し、前記供給位置に停止したリテーナ支持台の上方位置に達した後略垂直に下降することを特徴とする請求項１又は２に記載されたリテーナに収容された袋の袋口のシールシステム。
【請求項４】
前記リテーナ移送部材は平面視で前記リテーナ支持台と相補形状を有することを特徴とする請求項３に記載されたリテーナに収容された袋の袋口のシールシステム。
【請求項５】
前記供給コンベアの搬送経路は直線状でその延長線上に前記シール装置の移動経路の中心が位置し、前記供給コンベアにより搬送されるリテーナに収容された袋は袋幅方向が前記搬送経路に対し略垂直に向き、前記左右のグリッパーに挟持される袋の袋幅方向は前記移動経路に対し略接線方向に向いていることを特徴とする請求項１〜４のいずれかに記載されたリテーナに収容された袋の袋口のシールシステム。
【請求項６】
前記リテーナ移送部材は、リテーナを支持する複数本の自由回転ローラを有し、前記自由回転ローラはその軸方向が前記供給コンベアの搬送方向に略平行であり、前記整形装置は互いに接離しかつ前記リテーナ移送部材に対し昇降する一対又は複数対の位置修正用内爪を備え、前記位置修正用内爪は前記整形部材がリテーナに収容された袋の袋口近傍を挟む前に互いに接近状態で前記袋の袋口内に入り、続いて袋口内で所定位置まで互いに離反して袋口を偏平形状又は略多角形状に緊張させ、リテーナに収容された袋の袋幅方向の位置ずれを修正することを特徴とする請求項１〜５のいずれかに記載されたリテーナに収容された袋の袋口のシールシステム。
【請求項７】
前記袋がガセット袋であり、前記リテーナ移送部材は、リテーナを支持する複数本の自由回転ローラを有し、前記自由回転ローラはその軸方向が前記供給コンベアの搬送方向に略平行であり、前記整形装置は互いに接離しかつ前記リテーナ移送部材に対し昇降する４個の折り込み用内爪と、互いに接離する一対の折り込み用外爪を備え、前記折り込み用内爪は前記シール装置の左右のグリッパーの挟持箇所に対応する位置にそれぞれ切り欠きを有し、さらに前記折り込み用内爪と折り込み用外爪は前記整形部材と共に移動し、前記整形部材がリテーナに収容された袋の袋口近傍を挟む前に、前記折り込み用内爪は互いに接近状態で前記袋の袋口内に入り、袋口内で所定位置まで互いに離反して袋口を四角形状に緊張させ、続いて前記折り込み用外爪が前記搬送方向に垂直に互いに接近して前記袋の袋口近傍の側面を内側に押し込み、かつ前記折り込み用内爪が前記搬送方向に平行に互いに接近し、これにより袋の袋口近傍において両側面に内側への折り込みを形成し、続いて前記整形部材がリテーナに収容された袋の袋口近傍を挟み、前記左右のグリッパーが袋の両側縁部を挟持する前に、前記折り込み用外爪が互いに離反して前記袋から離脱することを特徴とする請求項５に記載されたリテーナに収容された袋の袋口のシールシステム。
【発明の詳細な説明】
【技術分野】
【０００１】
本発明は、リテーナに収容され被包装物が充填された袋をリテーナごとシール装置に供給し、前記シール装置においてリテーナに収容された袋の袋口を熱板で挟んでシールするシールシステムの改良に関する。
【背景技術】
【０００２】
特許文献１には、リテーナに収容され被包装物が充填された袋を前記リテーナごとシール装置に供給し、前記シール装置において前記袋の袋口近傍の両側縁部を左右一対のグリッパーで挟持し、前記左右一対のグリッパーの間隔を広げ袋口近傍を袋幅方向に引っ張って緊張させ、次いで緊張状態の袋口をシールするシール方法及びシールシステムが記載されている。シール前にグリッパーで袋口を緊張させるのは、しわシール（シール不良の一種）の発生を防止するためである。
【先行技術文献】
【特許文献】
【０００３】
【特許文献１】特開昭５８−８２８０１号公報
【発明の概要】
【発明が解決しようとする課題】
【０００４】
一方、特許文献１に記載されたシール方法及びシールシステムには、次のような問題がある。
（１）リテーナ内に収容され被包装物が充填された袋は、袋口が開口したままシール装置に供給され、シール装置において袋口近傍（シール予定箇所の少し下方位置）の両側縁部が左右一対のグリッパーで挟持される。しかし、袋は一般的に柔軟なフィルムで構成されているため、袋内での被包装物の納まり具合（充填状態）によってその開口形状が変化し、袋口の袋幅方向長さも変化する。このため、平袋や自立袋のようにサイドシール部を有する袋でも袋の両側縁部の位置が袋ごとにばらつき、一方、グリッパーの位置は同じであるため、片側又は両側のグリッパーが挟持できなかったり、浅くしか挟持できず袋口を緊張させたとき袋がグリッパーから外れたりするなど、挟持ミスが生じやすい。
【０００５】
（２）リテーナの内周サイズは袋の外周サイズよりやや大きく設定されているから、リテーナに収容された袋の中心がリテーナの中心からずれている場合がある。このずれが特に袋幅方向に大きくなると、片側のグリッパーで浅くしか挟持できず、上記（１）と同様の問題が生じる。
（３）シール装置のグリッパーは円形の移動経路を有し、一方、リテーナ内に収容された袋は供給コンベアにより袋面に平行に（袋幅方向に）搬送され、その搬送経路は前記移動経路に対し接線方向である。袋の両側縁部を挟持するグリッパーの移動経路と袋の搬送経路が一部で重なることにより、そのままではグリッパーと袋が干渉する。その干渉を防ぐためには、グリッパーの移動経路と袋の搬送経路が重なるタイミングでグリッパーを袋の搬送経路から退避させる必要がある。そのためグリッパーの構造の複雑化及びコストアップが避けられない。
【０００６】
（４）ガセット袋のように両側部に折り込みを有する袋の場合、一般的にサイドシール部が存在せず、リテーナ内に収容された袋は両側部の折り込みも開いている。このような袋に対して特許文献１のシール方法及び装置は適用できない。グリッパーで袋の両側縁部を挟持したとき、同時に両側部を折り込むことが難しいからである。
【０００７】
本発明は、リテーナに収容され被包装物が充填された袋を前記リテーナごとシール装置に供給し、前記シール装置において前記袋の袋口近傍の両側縁部を左右一対のグリッパーで挟持し、前記左右一対のグリッパーの間隔を広げ袋口近傍を袋幅方向に引っ張って緊張させ、次いで緊張状態の袋口をシールするシール方法及びシールシステムにおいて、グリッパーによる袋の挟持ミスの発生を防止することを主たる目的とする。
また、グリッパーの構造の複雑化及びコストアップを伴うことなくグリッパーと袋の干渉を防止すること、ガセット袋のように両側部に折り込みを有する袋に対しても上記シール方法及びシールシステムが適用できるようにすることを、それぞれ他の目的とする。
【課題を解決するための手段】
【０００８】
本発明に係るシールシステムでは、リテーナに収容され被包装物が充填された袋の開口した袋口近傍を整形部材で挟んで偏平状に保持し、その状態で前記袋をリテーナごとシール装置に供給し、前記整形部材で挟んだ位置を外して袋口近傍の両側縁部を前記シール装置の左右のグリッパーで挟持し、前記整形部材を開いて前記袋を解放し、前記左右のグリッパーの間隔を広げて袋口を緊張させ、緊張した袋口をシールする。整形部材自体で袋口近傍を偏平状に整形し、そのままその状態を保持する場合、他の部材で袋口近傍を偏平状に整形した後、整形部材で挟んでその状態を保持する場合、及び他の部材で袋口近傍をある程度偏平状に整形した後、整形部材で挟んでさらに偏平状に整形し、その状態を保持する場合等があり得る。
袋の開口した袋口近傍を整形部材で挟んで偏平状に保持する（袋口を閉じる）ことにより、袋口の袋幅方向の長さが一定となり、袋の両側縁部の位置のばらつきの程度が袋口が開口したままの場合に比べて改善され、挟持ミスの発生を防止できる。
【０００９】
前記シール装置は、例えば、円形の移動経路に沿って等間隔に設置されかつ前記移動経路に沿って間欠移動する複数組の左右のグリッパー及び対応するリテーナ支持台を備え、それらの停止位置の１つである供給位置に前記袋をリテーナごと順次供給し、前記供給位置において前記袋をリテーナ支持台で支持し、かつ前記袋の両側縁部を左右のグリッパーで挟持し、前記左右のグリッパーとリテーナ支持台の間欠移動に伴って前記袋とリテーナを間欠移動させ、その間欠移動の過程で前記袋の袋口をシールする。
【００１０】
本発明に係るシールシステムは、以下に説明する供給コンベア、シール装置、移送装置、及び整形装置からなる。
前記供給コンベアは、被包装物が充填された袋を収容したリテーナを所定の搬送経路に沿って等間隔で間欠的に順次搬送する。
前記シール装置は、円形の移動経路に沿って等間隔に配置されかつ前記移動経路に沿って移動し前記移動経路上で互いの間隔を広げ又は狭める複数組の左右のグリッパー及び対応するリテーナ支持台と、前記移動経路上の停止位置であるシール位置近傍に配置されたシール用の一対の熱板を備え、前記移動経路上の停止位置の１つである供給位置において袋を収容したリテーナの供給を受け、前記リテーナをリテーナ支持台で支持し、かつ前記袋の両側縁部を左右のグリッパーで挟持し、左右のグリッパーとリテーナ支持台の間欠移動に伴って袋とリテーナを間欠移動させ、その間欠移動の過程で左右のグリッパーの間隔を広げて袋の袋口を緊張させ、前記シール位置において袋の袋口を前記熱板で挟んでシールする。
【００１１】
前記移送装置は、前記搬送経路上に設定された停止位置の１つである移送開始位置において前記リテーナを支持し、前記移送開始位置から前記供給位置に向け所定の移送経路に沿って移送し、前記供給位置においてリテーナ支持台上に載置し、その後前記移送開始位置に復帰移動するリテーナ移送部材を備える。
前記整形装置は、前記移送経路上で前記袋の開口した袋口近傍を両面から挟んで前記袋口近傍を偏平状に保持する整形部材を備える。前記整形部材は、袋の袋口近傍を挟んだままリテーナが前記移送経路上を移送され前記供給位置に達するまでリテーナ移送部材と共に移動し、前記シール装置の左右のグリッパーが前記供給位置において袋の両側縁部を挟持した後開いて袋を解放し、続いて元の位置に復帰移動する。
上記システムによれば、袋の開口した袋口近傍を整形部材で挟んで偏平状に保持する（袋口を閉じる）ことにより、袋口の袋幅方向の長さが一定となり、袋の両側縁部の位置のばらつきの程度が袋口が開口したままの場合に比べて改善され、挟持ミスの発生を防止できる。
【００１２】
上記シールシステムは例えば次の形態を取り得る。
（１）前記整形部材は袋の幅方向両側に一対対向配置されている。
（２）前記リテーナ移送部材は、前記移送開始位置で略垂直に上昇した後前記シール装置に向けて移動し、前記供給位置に停止したリテーナ支持台の上方位置に達した後略垂直に下降する。
（３）前記リテーナ移送部材は平面視で前記リテーナ支持台と相補形状を有する。
（４）前記供給コンベアの搬送経路は直線状でその延長線上に前記シール装置の移動経路の中心が位置し、前記供給コンベアにより搬送されるリテーナに収容された袋は幅方向が前記搬送経路に対し略垂直に向き、前記左右のグリッパーに挟持される袋の袋幅方向は前記移動経路に対し略接線方向に向いている。この形態によれば、袋を収容したリテーナをシール装置に供給するとき、通常のロータリー型袋詰め包装機のグリッパーに袋を供給する場合（例えば特開２０１１−０７３７７７号公報参照）と同様、グリッパーと袋の干渉を防止することができる。
【００１３】
（５）前記リテーナ移送部材は、リテーナを支持する複数本の自由回転ローラを有し、前記自由回転ローラはその軸方向が前記供給コンベアの搬送方向に略平行であり、前記整形装置は互いに接離しかつ前記リテーナ移送部材に対し相対的に昇降する一対又は複数対の位置修正用内爪を備え、前記位置修正用内爪は前記整形部材がリテーナに収容された袋の袋口近傍を挟む前に互いに接近状態で前記袋の袋口内に入り、続いて袋口内で所定位置まで互いに離反して袋口を偏平形状又は略多角形状に緊張させ、リテーナに収容された袋の袋幅方向の位置ずれを修正する。リテーナ内で袋の位置が袋幅方向にずれていた場合、袋にずれの方向とは逆方向に荷重が掛かり、袋は前記リテーナ移送部材上でリテーナと共に荷重方向に移動して袋幅方向の位置ずれが修正され、この袋がシール装置に供給されたとき、左右のグリッパーによる挟持幅が均等になり、挟持ミスが防止される。
【００１４】
（６）前記リテーナ移送部材は、リテーナを支持する複数本の自由回転ローラを有し、前記自由回転ローラはその軸方向が前記供給コンベアの搬送方向に略平行であり、前記整形装置は互いに接離しかつ前記リテーナ移送部材に対し昇降する４個の折り込み用内爪と、互いに接離する一対の折り込み用外爪を備え、前記折り込み用内爪は前記シール装置の左右のグリッパーの挟持箇所に対応する位置にそれぞれ切り欠きを有し、さらに前記折り込み用内爪と折り込み用外爪は前記整形部材と共に移動し、前記整形部材がリテーナに収容された袋の袋口近傍を挟む前に、前記折り込み用内爪は互いに接近状態で前記袋の袋口内に入り、袋口内で所定位置まで互いに離反して袋口を四角形状に緊張させ、続いて前記折り込み用外爪が前記搬送方向に垂直に互いに接近して前記袋の袋口近傍の側面を内側に押し込み、かつ前記折り込み用内爪が前記搬送方向に平行に互いに接近し、これにより袋の袋口近傍において両側面に内側への折り込みを形成し、続いて前記整形部材がリテーナに収容された袋の袋口近傍を両面から挟み、前記左右のグリッパーが袋の両側縁部を挟持する前に、折り込み用外爪が互いに離反して前記袋から離脱する。この形態は、前記（４）の形態を前提とし、ガセット袋を対象とするものである。折り込み用内爪は、前記（５）で述べた位置修正用内爪と同様に、袋幅方向の位置ずれを修正する作用も有する。
【発明の効果】
【００１５】
本発明によれば、リテーナに収容され被包装物が充填された袋を前記リテーナごとシール装置に供給し、前記シール装置において前記袋の袋口近傍の両側縁部を左右一対のグリッパーで挟持し、前記左右一対のグリッパーの間隔を広げ袋口近傍を袋幅方向に引っ張って緊張させ、次いで緊張状態の袋口をシールするシールシステムにおいて、グリッパーによる袋の挟持ミスの発生を防止し、しわシールなどのシール不良が発生したり、あるいはシール自体ができなくなるようなことが防止できる。
【図面の簡単な説明】
【００１６】
【図１】本発明に係るシールシステムの全体斜視図である。
【図２】本発明に係るシール方法及びシールシステムの一部を工程順に説明する斜視図である。
【図３】本発明に係るシール方法及びシールシステムの一部を工程順に説明する斜視図である。
【図４】本発明に係るシール方法及びシールシステムの一部を工程順に説明する斜視図である。
【図５】本発明に係るシール方法及びシールシステムの一部を工程順に説明する斜視図である。
【図６】本発明に係るシール方法及びシールシステムの一部を工程順に説明する斜視図である。
【図７】本発明に係るシール方法及びシールシステムの一部を工程順に説明する斜視図である。
【図８】本発明に係るシール方法及びシールシステムの一部を工程順に説明する斜視図である。
【図９】本発明に係るシール方法及びシールシステムの一部を工程順に説明する斜視図である。
【図１０】本発明に係るシール方法及びシールシステムを工程順に説明する斜視図である。
【発明を実施するための形態】
【００１７】
以下、本発明に係るシールシステムについて、図１〜１０を参照して具体的に説明する。
図１に示すシールシステムは、リテーナ１に収容され被包装物が充填された袋２を前記リテーナごとシール装置に移送し、同シール装置で袋２の袋口のシールを行うものであり、供給コンベア３と、シール装置４と、移送装置（リテーナ移送部材５のみ示す）と、整形装置（整形部材６，６，７，７、折り込み用内爪８，９，１０，１１、折り込み用外爪１２，１３のみ示す）からなる。１４は、シール装置４でシールされた袋を搬出するコンベアである。
【００１８】
リテーナ１は、平らな底板１５と四角形の枠体１６からなる。袋２はガセット袋からなり、折り目が開いた状態でリテーナ１に収容される。枠体１６は折り目が開いた状態の袋２より、平面視でやや大きめに作製されている。
供給コンベア３は水平に配置された多数のコンベアローラからなり、袋２を収容したリテーナ１を直線状の搬送経路に沿って等間隔で間欠的に順次搬送する。供給コンベア３上を搬送される全てのリテーナ１は、幅方向（搬送経路に対し垂直方向）の中心が、供給コンベア３の搬送経路の中心線上に位置するようにガイドされる。
【００１９】
供給コンベア３の搬送経路上に、リテーナ１が停止する複数の停止位置が等間隔に設定され、その１つである給袋位置Ａでは、上方から折り目が開いたガセット袋２が，袋幅方向が前記搬送経路に対し垂直に向くように、リテーナ１に挿入される。次の停止位置は充填位置Ｂであり、ホッパー１７を介して被包装物の充填が行われる。さらに次の停止位置は移送開始位置Ｃである。この移送開始位置Ｃでは、供給コンベア３の搬送面の中央部に空間３ａが形成され、この空間３ａ内に前記移送装置の一部であるリテーナ移送部材５が待機している。空間３ａの前方側（供給コンベア３の搬送経路の前方側）には、コンベアローラが設置されていない（図５参照）。また、移送開始位置Ｃの上には前記整形装置が待機している。
【００２０】
シール装置４は、水平で円形の移動経路に沿って等間隔に配置されかつ前記移動経路に沿って間欠的に移動する８組の左右のグリッパー１８，１８と、各グリッパー１８，１８に対応して設置され、かつグリッパー１８，１８と共に円形の移動経路に沿って移動するリテーナ支持台１９を備える。各グリッパー１８，１８は、前記移動経路上で所定のタイミングで開閉し、また互いの間隔を広げ又は狭める。リテーナ支持台１９はリテーナ１を水平に載置し、各グリッパー１８，１８はリテーナ１に収容された袋２の袋口近傍の両側縁部を挟持し、これにより、シール装置４に供給されたリテーナ１と袋２は、前記移動経路に沿って間欠的に移動する。グリッパー１８，１８に挟持された袋２は、その袋幅方向が前記移動経路に対し接線方向に向いている。以下、グリッパー１８，１８及びリテーナ支持台１９の移動経路を特に区別せず、シール装置４の移動経路という場合がある。
【００２１】
各グリッパー１８，１８とリテーナ支持台１９は、前記移動経路に沿って１回転する間に８回停止（停止位置Ｄ〜Ｋ）する。最初の停止位置Ｄは袋２を収容したリテーナ１の供給を受ける供給位置（以下、停止位置Ｄを供給位置Ｄという）である。この供給位置Ｄでリテーナ支持台１９の上にリテーナ１が載置され、グリッパー１８，１８が閉じて袋２の袋口近傍の両側縁部を挟持する。グリッパー１８，１８及びリテーナ支持台１９が移動し、停止位置Ｆに達する前に、グリッパー１８，１８が互いの間隔を広げ、袋２の袋口を緊張させる。
【００２２】
停止位置Ｆは第１シール位置（以下、停止位置Ｆを第１シール位置Ｆという）であり、同位置近傍に袋口シール用の一対の熱板２１，２１が配置されている。グリッパー１８，１８が第１シール位置Ｆに停止したとき、熱板２１，２１が閉じて、グリッパー１８，１８に挟持された袋２の袋口を挟んでシールする。停止位置Ｇは第２シール位置であり、一対の熱板２２，２２が配置され、グリッパー１８，１８が同位置に停止したとき熱板２２，２２が閉じ、袋口の２度目のシールが行われる。停止位置Ｈは冷却位置であり、袋口を冷却する冷却板２３，２３が配置され、グリッパー１８，１８が同位置に停止したとき冷却板２３，２３が閉じ、袋口の冷却が行われる。
グリッパー１８，１８が停止位置Ｊに停止したとき、グリッパー１８，１８が開き袋２を解放し、続いて図示しない移送手段により袋２を収容したリテーナ１がコンベア１４上に移送され、次の工程位置に向け搬送される。グリッパー１８，１８及びリテーナ支持台１９が供給位置Ｄに達する前に、グリッパー１８，１８が互いの間隔を狭める。
【００２３】
供給コンベア３の搬送経路の中心線Ｃｏの延長線上に、グリッパー１８，１８の前記移動経路の軸心Ａｘが位置する。供給位置Ｄに停止した左右のグリッパー１８，１８の中心位置（左右のグリッパー１８，１８の間の中央位置）Ｇｏは、前記搬送経路の中心線Ｃｏと前記軸心Ａｘを含む鉛直面上に位置する。また、仮に供給コンベア３によって搬送されるリテーナ１に収容された袋２の袋幅方向の中心位置が、供給コンベア３の搬送経路の中心線Ｃｏ上に位置していれば、前記袋２の袋幅方向の中心位置も前記鉛直面上に位置することになる。
【００２４】
前記移送装置の一部であるリテーナ移送部材５は（図２参照）、フレーム２４と、フレーム２４に回転自在に片持ち支持された２個のローラ２５，２６からなる。ローラ２５，２６は供給コンベア３の搬送方向と平行に設置され、そのためリテーナ１に水平面内で前記搬送方向に対し垂直な荷重が掛かると、リテーナ１は前記荷重の方向に移動可能である。
リテーナ移送部材５は、供給コンベア３の搬送経路の移送開始位置Ｃに停止したリテーナ１を水平に載置し、シール装置４の移動経路の供給位置Ｄまで移送する。リテーナ移送部材５は図示しない駆動機構により移動し、その移動経路（リテーナ１の移送経路）は、前記移送開始位置Ｃでの鉛直上昇、供給コンベア３の搬送経路に平行な水平直線移動、前記供給位置Ｄでの鉛直下降である。
【００２５】
リテーナ移送部材５は、供給コンベア３の搬送経路の移送開始位置Ｃにおいて、平面視で移送コンベア３と相補形状を有する。すなわち、リテーナ移送部材５は、前記移送開始位置Ｃにおいて供給コンベア３の搬送面の中央部に形成された空間３ａに入り込み、鉛直上昇に際して前記空間３ａ内からコンベアローラの干渉を受けずに離脱する。また、空間３ａは前方側が開放されているので、後述するように、前記搬送経路に沿って水平面内を後退（復帰移動）してきたリテーナ移送部材５が、コンベアローラの干渉を受けずに空間３ａに進入可能である。
また、リテーナ移送部材５は平面視でリテーナ支持台１９と相補形状を有し、フレーム２４及びローラ２５，２６に囲まれた空間５ａは、その移動経路の前方側が開放されている。従って、後述するように、シール装置４の供給位置Ｄに向け所定の移動経路に沿って水平面内を直線移動してきたリテーナ移送部材５は、リテーナ支持台１９と互いに干渉し合うことなく、前記リテーナ支持台１９を前記空間５ａ内に進入させ、さらにその状態で鉛直下降することができる。
【００２６】
前記整形装置は、図２により明確に示すように、それぞれ支持軸６ａ，６ａを中心に水平面内で回動する一対の整形部材６，６と、同じく支持軸７ａ，７ａを中心に水平面内で回動するもう一対の整形部材７，７と、それぞれ前記移送経路に対し垂直姿勢で配置されその姿勢のまま互いに接離しかつリテーナ移送部材５に対し昇降する４個の板状の折り込み用内爪８〜１１と、前記移送経路に対し垂直姿勢で配置されその姿勢のまま互いに接離する一対の板状の折り込み用外爪１２，１３を備える。ガセット袋の袋口を整形するこのような部材は、例えば特許第４１８２４２１号公報、特開２００４−１４２７７６号公報、特開昭５５−７９２０４号公報、特開昭５０−２５３９３号公報に記載されているとおり、それ自体公知である。これらの部材はさらにリテーナ移送部材５の移動経路（リテーナ１の移送経路）に沿って、リテーナ移送部材５と共に移動する。
【００２７】
以下、図２〜１０を参照し、整形装置を構成するこれらの部材の機能と作動及び移動経路と、先に説明したリテーナ移送部材５の機能と作動及び移動経路について具体的に説明する。ただし、図２〜１０には各部材の作動機構及び移動機構は図示が省略されている。
図２は、供給コンベア３の搬送経路の移送開始位置Ｃに、リテーナ１及び袋２が停止したときの、整形部材６，６，７，７、折り込み用内爪８，９，１０，１１、折り込み用外爪１２，１３、及びリテーナ移送部材５の配置（初期位置）を示す。
【００２８】
リテーナ移送部材５の上面（リテーナ１を載置する面）は、移送開始位置Ｃにおいて供給コンベア３の搬送面のやや下方に位置し、リテーナ移送部材５と、移送開始位置Ｃに搬送されるリテーナ１及び袋２との干渉が防止されている。
整形部材６，６及び７，７は、移送開始位置Ｃにおいて、前記搬送経路を挟んで袋２の両側に対向して配置されている。整形部材６，６及び７，７はそれぞれ水平面内で回動して開閉し、閉じたとき袋２の袋口近傍を両面から挟持する。図２では、整形部材６，６及び７，７はそれぞれ開いて退避位置にきており、前記移送開始位置Ｃに搬送されるリテーナ１及び袋２との干渉が防止されている。
【００２９】
折り込み用内爪８〜１１は互いに接近し集合した状態で、移送開始位置Ｃに停止した袋２の中央部上方に配置されている。折り込み用内爪８〜１１はそれぞれ外向きの切り欠き８ａ〜１１ａを有する。折り込み用外爪１２，１３は互いに離れた状態で、供給コンベア３の搬送経路を挟んで袋２の両側に対向して配置されている。
折り込み用内爪８〜１１は折り込み用外爪１２，１３より高い位置に配置され、折り込み用外爪１２，１３は整形部材６，６，７，７よりわずかに高い位置に配置されている。
【００３０】
なお、リテーナ１内に収容された袋２は、本例では、リテーナ１の幅方向（供給コンベア３の搬送方向に対し垂直方向）の中央に位置しておらず、幅方向にずれた位置（図２では幅方向右側にずれた位置）に収容されている。図２に、袋２の袋幅方向の中心Ｂｏとリテーナ１の幅方向の中心Ｒｏが、袋幅方向に距離Ｗだけずれた状態が示されている。先に述べたとおり、供給コンベア３上のリテーナ１は、リテーナ１の幅方向の中心Ｒｏが供給コンベア３の搬送経路の中心線Ｃｏ上に位置するようにガイドされているから、結局、袋２の幅方向の中心Ｂｏは供給コンベア３の搬送経路の中心線Ｃｏから距離Ｗだけずれていることになる。
【００３１】
図３は、リテーナ移送部材５がリテーナ１と袋２を載置して所定距離鉛直上昇し、一方、折り込み用内爪８〜１１が所定距離鉛直下降し、折り込み用内爪８〜１１が袋２の開口した袋口から袋口内部の所定位置（袋２の上端と折り込み用内爪８〜１１の上端がほぼ同じ高さになる位置）に挿入された状態を示す。なお、整形部材６，６，７，７及び折り込み用外爪１２，１３は昇降しない。
【００３２】
図４は、続いて折り込み用内爪８〜１１が集合状態から同時に略放射方向に水平移動して互いに離れ、所定位置に分散して停止した状態を示す。なお、折り込み用内爪８，９と折り込み用内爪１０，１１は、供給コンベア３の搬送経路の中心線Ｃｏを通る鉛直面に対し対称的に配置され、かつ対称性を保って接離する。四方に分散した折り込み用内爪８〜１１は袋口内面の四隅に当接し、開口した袋口は内側から略放射方向に押され四角形状に緊張状態とされる。
【００３３】
このとき、袋２はリテーナ１内に幅方向に距離Ｗ（図２参照）だけずれて収容されているから、折り込み用内爪８〜１１が袋２の袋口内面に当接して袋口を緊張させるとき、袋２に対しこの幅方向のずれを解消する方向に荷重が付加される。袋２に掛かる袋幅方向への前記荷重はリテーナ１に伝達され、リテーナ１がリテーナ移送部材５上を前記荷重の方向（リテーナ１の幅方向）に、ずれの分（距離Ｗ）だけ移動する。その結果、リテーナ１は、幅方向の中心Ｒｏが供給コンベア３の搬送経路の中心線Ｃｏから幅方向に距離Ｗだけずれ、一方、袋２は袋幅方向のずれが解消され、袋幅方向の中心Ｂｏが前記中心線Ｃｏ上に重なる位置にくる。
このように、折り込み用内爪８〜１１の作動で、リテーナ１に収容された袋２の袋幅方向の位置ずれが修正され、その結果、この袋２がシール装置４の供給位置Ｄに供給されたとき、袋２の袋幅方向の中心Ｂｏが左右のグリッパー１８，１８の中心Ｇｏと一致し、グリッパー１８，１８による挟持ミスが防止される。
【００３４】
続いて、リテーナ移送部材５は供給コンベア３の搬送経路に平行に、シール装置４の供給位置Ｄに向けて水平移動する。リテーナ移送部材５が水平移動する間、整形部材６，６，７，７、折り込み用内爪８〜１１、及び折り込み用外爪１２，１３は、リテーナ移送部材５に追従して共に水平移動する。
また、リテーナ移送部材５が水平移動する間、図５に示すように、折り込み用外爪１２，１３が内向きに水平移動して互いに接近し、袋２の側部中央の折り込みライン２ａに当接して内向きに押し込み、同時に、折り込み用内爪８と９、及び折り込み用内爪１０と１１が、供給コンベア３の搬送方向に対し平行に水平移動して互いに接近し、袋２の側部を折り込み偏平状に整形する。
【００３５】
リテーナ移送部材５が水平移動する間、袋２の側部の折り込みが完了した時点で、図６に示すように、整形部材６，６と整形部材７，７が水平面内で回動して閉じ、袋２の袋口近傍の主として両側部の折り込まれた箇所を外側から水平に挟持し、偏平状に整形すると共にその偏平化した形状を保持する。次いで折り込み用外爪１２，１３が外向きに水平移動して互いに離れる。これは前記供給位置Ｄにおいてグリッパー１８，１８との干渉を避けるためである。この間、左右のグリッパー１８，１８とリテーナ支持台１９が前記供給位置Ｄに接近し、次いで前記供給位置Ｄに停止する。そのタイミングで、リテーナ移送部材５が前記供給位置Ｄに接近し、リテーナ支持台１９が前記空間５ａ内に進入し始める。
続いて、リテーナ移送部材５が前記供給位置Ｄに停止する。このときの状態を図７に示す。リテーナ支持台１９が前記空間５ａ内に進入している。リテーナ移送部材５が前記供給位置Ｄに停止すると、直ちにグリッパー１８，１８が閉じ、袋２の偏平状に整形された袋口近傍の両側縁部を挟持する（図８参照）。なお、グリッパー１８，１８が挟持する位置は、整形部材６，６，７，７が挟んだ位置を外して、その上方位置である。また、袋口の折り込まれた箇所には折り込み用内爪８〜１１が入っているが、グリッパー１８，１８が挟持する箇所には、折り込み用内爪８〜１１の切り欠き８ａ〜１１ａが位置しているため、グリッパー１８，１８が実際に挟持するのは袋２のみである。
【００３６】
次いで、リテーナ移送部材５が前記供給位置Ｄで鉛直下降し、リテーナ１をリテーナ支持台１９上に載置し、図８に示すように、さらに所定距離下降する。なお、リテーナ１の下降距離（リテーナ支持台５が前記供給位置Ｄに停止した時点でのリテーナ１の底面とリテーナ支持台１９の上面の高さの差）は、ごく僅かになるように設定されている。
【００３７】
続いて図９に示すように、折り込み用内爪８，９及び折り込み用内爪１０，１１が内向きに水平移動して互いに接近し、側部の折り込み箇所から外れ、整形部材６，６及び整形部材７，７が開いて袋２を解放し、元の退避位置にくる。一方、リテーナ移送部材５は供給コンベア３の搬送経路に平行に後退を開始する。
さらに図１０に示すように、折り込み用内爪８〜１１が鉛直上昇し、袋２の袋口から抜け出す。
【００３８】
これ以降は、リテーナ移送部材５は、水平面内を供給コンベア３の搬送経路に平行に後退し、前記移送開始位置Ｃにおいて供給コンベア３の空間３ａ内に進入し、前記初期位置（図２参照）に復帰する。整形部材６，６，７，７、折り込み用内爪８〜１１及び折り込み用外爪１２，１３も、水平面内を供給コンベア３の搬送経路に平行に後退し、前記初期位置に復帰する。
【００３９】
以上の例以外にも、例えば下記のように、本発明は種々の形態をとることができる。
（１）上記の例では、整形部材６，６，７，７が閉じて袋２の袋口を挟み、袋口を偏平状に保持した後も、折り込み用内爪８〜１１及び折り込み用外爪１２，１３は、リテーナ移送部材５及び整形部材６，６，７，７と共に、シール装置４の移動経路の供給位置Ｄまで又はその近傍位置まで、袋２の袋口の折り込み箇所に挟まったまま移動したが、整形部材６，６，７，７が閉じて袋２の袋口を挟んだ後、すぐに前記折り込み箇所から外れてもよい。
【００４０】
（２）上記の例では、整形及び移送に要する時間を短縮するため、リテーナ移送部材５の移動中に、整形部材６，６，７，７、折り込み用内爪８〜１１及び折り込み用外爪１２，１３が前記リテーナ移送部材の移動に追従しつつ整形作動を行ったが、例えば、供給コンベア３の搬送経路の移送開始位置Ｃ又はその直上位置のみで、同様の整形作動を行うようにしてもよい。この場合、合わせて上記（１）の形態を採用することもできる。
【００４１】
（３）上記の例は特にガセット袋に適用される形態であり、袋２の側部を折り込む必要があったため、整形装置は４つの折り込み用内爪８〜１１及び折り込み用外爪１２，１３を備えていた。一方、平袋や自立袋のように、両側縁にサイドシールが形成されていて、側部の折り込みが元々必要でない袋の場合、整形装置はこれらの部材を備えている必要はない。しかし、平袋や自立袋のような袋でも、整形部材により袋口を挟んで偏平状に保持する前に、袋２の袋幅方向の位置ずれを修正することが望ましい。
その場合、位置ずれを修正する部材（位置修正用内爪）として、折り込み用内爪８〜１１と同様に、互いに接離しかつ前記リテーナ移送部材に対し相対的に昇降する一対又は複数対の部材を利用できる。この位置修正用内爪は、リテーナに収容された袋の袋口内に互いに接近状態で入り、続いて袋口内で所定位置まで互いに離反して袋口を偏平形状又は多角形状に緊張させる。位置修正用内爪が一対であれば、袋幅方向に離反し、袋幅方向両端のサイドシール部に当接して袋口を緊張させることになる。
【００４２】
（４）上記の例は特にガセット袋に適用される形態であり、折り込み用内爪８〜１１及び折り込み用外爪１２，１３が開口した袋口を偏平状に整形する作用を有し、整形部材６，６，７，７は、主として、偏平状に整形された袋口の形態を保持する作用を有していた。しかし、例えば平袋や自立袋のように、両側縁にサイドシールが形成されていて、側部の折り込みが必要でない袋の場合、整形部材自体で開口した袋口を挟んで偏平状に整形し、かつその状態を保持することもできる。 
【符号の説明】
【００４３】
１  リテーナ
２  袋（ガセット袋）
３  供給コンベア
４  シール装置
５  リテーナ移送部材
６，６，７，７  整形部材
８〜１１  折り込み用内爪
１２，１３  折り込み用外爪
１８，１８  左右のグリッパー
１９  リテーナ支持台
【図１】
0005749134.tif 000002
【図２】
0005749134.tif 000003
【図３】
0005749134.tif 000004
【図４】
0005749134.tif 000005
【図５】
0005749134.tif 000006
【図６】
0005749134.tif 000007
【図７】
0005749134.tif 000008
【図８】
0005749134.tif 000009
【図９】
0005749134.tif 000010
【図１０】
0005749134.tif 000011